(57)【要約】  【課題】  後席側の操作利便性を維持しながらも、後席側からのリモコンの誤操作によるシステムの誤動作を、前席側から防ぐことのできる車載用音響システムを提供すること。  【解決手段】  この車載用音響システム１は、前席用音響システム２と後席用音響システム３とが連動して、同一の入力ソースから出力される音楽信号及び映像信号を制御することができる前後席連動モードに設定可能な前後席連動設定ボタンが、前席用操作ユニット４の前席用ディスプレイ１７に設けられた表示部１８に表示される設定画面にのみ設けられているので、後席側のリモコン４５からは前後席連動モードに設定できない。【選択図】  図１
2005096601.tif 000002
【特許請求の範囲】
【請求項１】
複数の入力ソースの何れかを選択可能であって、当該選択された入力ソースに対応した音楽信号及び映像信号を複数の出力手段に出力可能な車載用音響システムにおいて、
前記入力ソースを車室内の前席側から選択し、当該選択された入力ソースの動作の制御の指令を与える第１の操作手段と、
前記入力ソースを車室内の後席側から選択し、当該選択された入力ソースの動作の制御の指令を与える第２の操作手段と、
車室内に設けられ、前記第１の操作手段によって選択された前記入力ソースに対応した音楽信号により音楽情報が出力される前席側音響出力手段と、
車室内の前席側に設けられ、前記第１の操作手段によって選択された前記入力ソースに対応した映像信号により映像情報が出力される前席側映像出力手段と、
車室内の後席側に設けられ、前記第２の操作手段によって選択された前記入力ソースに対応した映像信号により映像情報が出力される後席側映像出力手段と、
車室内の後席側に設けられ、前記第２の操作手段によって選択された前記入力ソースに対応した音楽信号により音楽情報が出力されるヘッドホンと、
前記第１の操作手段に設けられ、前記第１の操作手段又は前記第２の操作手段によって選択された前記入力ソースに対応する音楽信号を、前記前席側音響出力手段と、前記ヘッドホンとに出力し、前記入力ソースに対応する映像信号を、前記前席側映像出力手段と、前記後席側映像出力手段とに出力可能な前後席連動モードにする指令を与える前後席連動モード指示手段と
を備えたことを特徴とする車載用音響システム。
【発明の詳細な説明】
【技術分野】
【０００１】
本発明は車載用音響システムに関し、詳細には前席側及び後席側において、音楽情報及び映像情報を出力可能な車載用音響システムに関する。
【背景技術】
【０００２】
従来、車載用音響システムを構成する音響システムとして、車室内の前席側の前席用音響システムとは別に、後席側でもＣＤ及びＤＶＤ等の音楽情報及び映像情報を楽しむことができる後席用音響システムが知られている。この後席用音響システムには、入力ソース（例えば、ラジオチューナ、ＣＤドライブ、ＤＶＤドライブ及びＴＶチューナ等）の選択及び音量等を自由に調整できる操作リモコンと、操作リモコンによって選択された入力ソースから出力される音楽信号に応じた音楽情報を受聴するヘッドホンと、同じく入力ソースから出力される映像信号に応じた映像情報を表示する後席用ディスプレイとが備えられている。また、前席側に設けられた前席用音響システムにおいても、入力ソースの選択及び音量等を調整できる操作パネルと、操作パネルによって選択された入力ソースから出力される音楽信号に応じた音楽情報を出力するスピーカと、同じく入力ソースから出力される映像信号に応じた映像情報を表示する前席用ディスプレイとが備えられている。
【０００３】
そして、後席側の搭乗者は、操作リモコンを操作することにより、どの入力ソースの音楽情報及び映像情報を、ヘッドホン及び後席用ディスプレイから出力させるかを選択できる。また、既にヘッドホン及び後席用ディスプレイから出力されている音楽情報及び映像情報に係る入力ソースに対して、操作リモコンで操作指示を与えることで、その指示に基づいて変更された入力ソースの音楽情報及び映像情報が、ヘッドホンを通して受聴され、後席用ディスプレイに表示されるようになっている。
【０００４】
このような従来の車載用音響システムにおいて、例えば、前席側の操作パネルの操作指示とは無関係に、後席用の操作リモコンから入力ソースを選択して操作指示を行うことができるセパレートモードと、前席側の操作パネルの操作指示と後席側の操作リモコンの操作指示とが連動して、同一の入力ソースに対して操作指示を行うことができるフロントモードとの何れかが選択できるフロントモード選択キーを後席側の操作リモコンに備えた車載用音響システムが知られている（例えば、特許文献１参照）。この車載用音響システムでは、後席側の搭乗者が、前席側の搭乗者の意志とは無関係にセパレートモード及びフロントモードの選択を自由に行うことができるので、後席側の搭乗者にとって非常に便利であった。
【特許文献１】特開２００２−１３３８４０号公報
【発明の開示】
【発明が解決しようとする課題】
【０００５】
しかしながら、特許文献１に記載の車載用音響システムでは、後席に子供が乗るような場合、子供らが操作リモコンを使って遊ぶことが考えられ、誤ってフロントモードが選択されることがある。すると、前席側の搭乗者の意志とは無関係に、他の入力ソースの音楽情報及び映像情報がスピーカ又は前席用ディスプレイから突然出力され、前席側の搭乗者を驚かせるという問題点があった。また、フロントモード選択キーが、後席側の操作リモコンに設けられているので、後席側に子供が乗るような場合に予め予測される後席側での操作リモコンの誤操作を防ぐことができないという問題点があった。
【０００６】
本発明は、上述の課題を解決するためになされたものであり、後席側の操作利便性を維持しながらも、後席側からのリモコンの誤操作によるシステムの誤動作を、前席側から防ぐことのできる車載用音響システムを提供することを目的とする。
【課題を解決するための手段】
【０００７】
上記目的を達成するために、請求項１に記載の車載用音響システムは、複数の入力ソースの何れかを選択可能であって、当該選択された入力ソースに対応した音楽信号及び映像信号を複数の出力手段に出力可能な車載用音響システムにおいて、前記入力ソースを車室内の前席側から選択し、当該選択された入力ソースの動作の制御の指令を与える第１の操作手段と、前記入力ソースを車室内の後席側から選択し、当該選択された入力ソースの動作の制御の指令を与える第２の操作手段と、車室内に設けられ、前記第１の操作手段によって選択された前記入力ソースに対応した音楽信号により音楽情報が出力される前席側音響出力手段と、車室内の前席側に設けられ、前記第１の操作手段によって選択された前記入力ソースに対応した映像信号により映像情報が出力される前席側映像出力手段と、車室内の後席側に設けられ、前記第２の操作手段によって選択された前記入力ソースに対応した映像信号により映像情報が出力される後席側映像出力手段と、車室内の後席側に設けられ、前記第２の操作手段によって選択された前記入力ソースに対応した音楽信号により音楽情報が出力されるヘッドホンと、前記第１の操作手段に設けられ、前記第１の操作手段又は前記第２の操作手段によって選択された前記入力ソースに対応する音楽信号を、前記前席側音響出力手段と、前記ヘッドホンとに出力し、前記入力ソースに対応する映像信号を、前記前席側映像出力手段と、前記後席側映像出力手段とに出力可能な前後席連動モードにする指令を与える前後席連動モード指示手段とを備えている。
【発明の効果】
【０００８】
本発明の請求項１に記載の車載用音響システムによれば、第１の操作手段又は第２の操作手段によって選択された入力ソースに対応する音楽信号により音楽情報を、前席側音響出力手段と、ヘッドホンとから出力し、第１の操作手段又は第２の操作手段によって選択された入力ソースに対応する映像信号により映像情報を前席側映像出力手段と後席側映像出力手段とから出力させる前後席連動モードにする前後席連動モード指示手段は、第１の操作手段にのみ設けられている。したがって、第１の操作手段の前後席連動モード指示手段による指令がなければ、第２の操作手段からは前後席連動モードによる入力ソースの選択及び動作の制御をすることができないので、前席側の搭乗者の意志に反して、前席側音響出力手段と、前席側映像出力手段とから出力されていた音楽情報又は映像情報が、突然切り替わることがない。また、後席側に子供が搭乗し、子供による操作リモコンの誤操作による車載用音響システムの誤動作が予測される場合でも、第１の操作手段の前後席連動モード指示手段による指令がなければ、第２の操作手段からは前後席連動モードによる入力ソースの選択及び動作の制御をすることができないので、前後席連動モードによる第２の操作手段の誤操作による車載用音響システムの誤動作を防ぐことができる。
【発明を実施するための最良の形態】
【０００９】
以下、本発明を車載用音響システム１に適応した一実施の形態について、図面に基づいて説明する。はじめに、本実施の形態の車載用音響システム１の構成について、図１を参照して説明する。図１は、本実施の形態の車載用音響システム１の構成を示したブロック図である。本実施の形態の車載用音響システム１では、車室内に配設された複数の各種入力ソースに対して、前席側及び後席側から選択及び操作指示を行うことが可能であり、自ら選択した入力ソースの映像及び音楽を、車室内に配設されたスピーカ、ヘッドホン及びディスプレイ等を通じて楽しむことができる。図１に示すように、車載用音響システム１は、車室内の前席側に配設された前席用音響システム２と、後席側に配設された後席用音響システム３とから構成されている。そして、車載用音響システム１には、入力ソースとして、ＣＤドライブ８、ＭＤドライブ９、ラジオチューナ１０（ＡＭ、ＦＭ対応）、ＤＶＤドライブ２９及びＴＶチューナ３０を備えている。尚、車載用音響システム１の入力ソースに関しては、これらに限らず自由に変更可能である。
【００１０】
次に、前席用音響システム２の構成について、図１を参照して説明する。図１に示すように、前席用音響システム２は、前席用操作ユニット４と、オーディオアンプ２０と、スピーカ２１とから主に構成されている。前席用操作ユニット４は、図示しないが、車室内の前席側フロントパネルの略中央に嵌め込まれ、ＣＤドライブ８及びＭＤドライブ９等の入力ソースと、映像情報及び文字情報が表示され、画面上のタッチ入力操作が可能な前席用ディスプレイ１７等とが一体化したオーディオ兼操作ユニットとして形成されている。この前席用操作ユニット４には、車載用音響システム１全体の制御を行う制御部６が設けられ、制御部６は、中央演算処理装置としてのＣＰＵ６ａと、ＣＰＵ６ａに接続され、車載用音響システム１が動作するための各種プログラムが記憶されているＲＯＭ６ｂと、同じくＣＰＵ６ａに接続され、各種データの書き込み及び呼び出しをすることができるＲＡＭ６ｃとから構成されている。
【００１１】
そして、図１に示すように、制御部６内に設けられたＣＰＵ６ａには、各種データの伝送路として供されるバス７が接続され、バス７には、ＣＤドライブ８と、ＭＤドライブ９と、ＡＭ又はＦＭ放送を受信可能なラジオチューナ１０とが各々接続されている。さらに、バス７には、各種入力ソース（ＣＤドライブ８，ＭＤドライブ９，ラジオチューナ１０，ＤＶＤドライブ２９及びＴＶチューナ３０）に対応して出力される映像データを受信し、受信した映像データを映像信号に変換して、後述する前席用ディスプレイ１７の表示部１８に向けて映像信号を送信する映像出力部１３と、各種入力ソースから出力される音楽データを受信し、受信した音楽データを音楽信号に変換して、後述するオーディオアンプ２０に出力する音声出力部１５とが接続されている。
【００１２】
さらに、バス７には、入力検知部１４が接続され、その入力検知部１４には、前席用ディスプレイ１７に設けられた正面視略長方形状の表示部１８と、表示部１８の外周枠に設けられた操作部２２が接続されている。尚、表示部１８は、上述した映像出力部１３にも接続されている。この表示部１８は、タッチ操作式の液晶ディスプレイであり、液晶の画面に表示される操作キーを指先等でタッチすると、その指先による押圧により入力検知部１４がそれを検知して入力信号に変換し、バス７を介して制御部６に向けて入力信号が送信されるようになっている。また、表示部１８は、映像出力部１３から種々の映像信号が入力されることにより、後述するＤＶＤドライブ２９、ＴＶチューナ３０の映像を表示したり、各種情報（例えば、各入力ソースの設定画面、再生トラック数、再生経過時間、ＡＭ／ＦＭ放送受信時の受信周波数等）が表示されるようになっている。また、図示しないが、表示部１８の外周枠に設けられた操作部２２は、スピーカ２１から出力される音声の音量や音質等を調整する調整ツマミ、入力ソースを選択可能な複数の入力ソース選択ボタン、カーナビゲーションシステムの設定を行う設定ボタン等が各種設けられている。
【００１３】
そして、図１に示すように、音声出力部１５には、前席用操作ユニット４の外部に設けられたオーディオアンプ２０が接続され、オーディオアンプ２０には、車載用のスピーカ２１が接続されている。このオーディオアンプ２０は、各入力ソースからバス７を介して送られてくる微弱な音楽信号を受信し、所定レベルにまで増幅させて、スピーカ２１から出力させている。尚、図示しないが、車載用音響システム１には、４つのスピーカ２１が用意され、車室内の前席側に２つ、後席側に２つ設けられているが、スピーカ２１の設置数又は設置位置に関してはこれに限らず自由に変更可能である。そして、４つのスピーカ２１には、オーディオアンプ２０が各々接続されており、各オーディオアンプ２０は、音声出力部１５に全て接続されている。
【００１４】
さらに、バス７には、後席用制御ユニット５と各種データの送受信を行う通信制御部１９が接続されている。この通信制御部１９は、制御部６のＣＰＵ６ａから、バス７を介して出力される各種データを所定の通信フォーマットに変換し、後述する後席用制御ユニット５の通信制御部２８に向けて出力する役割を果たしている。尚、図１の車載用音響システム１のブロック図に示す前席用ディスプレイ１７が、「第１の操作手段」に相当し、スピーカ２１が、「前席側音響出力手段」に相当し、前席用ディスプレイ１７の表示部１８が、「前席側映像出力手段」に相当する。
【００１５】
また、図１に示すように、前席用操作ユニット４のバス７には、カメラ制御ユニット５０が、前席用操作ユニット４の外部から接続されている。このカメラ制御ユニット５０は、自動車が後方にバックする際に使用される映像装置であり、車体の後部ガラス枠上部近傍に固定されたＣＣＤカメラから出力される車体後部の映像信号を、前席用ディスプレイ１７の表示部１８に表示できるようになっている。尚、カメラ制御ユニット５０から送信される車体後方の映像信号は、運転席のシフトレバーがバックギヤに挿入されると、バス７を介して映像出力部１３に送信され、自動的に前席用ディスプレイ１７の表示部１８に表示されるようになっている。
【００１６】
次に、後席用音響システム３の構成について、図１を参照して説明する。図１に示すように、後席用音響システム３は、後席用制御ユニット５と、ＤＶＤドライブ２９と、ＴＶチューナ３０と、後席用ディスプレイ３８と、ヘッドホンジャックＬ４３と、ヘッドホンジャックＲ４４と、リモコン４５と、ヘッドホン４６とから構成されている。後席用制御ユニット５は、前席用操作ユニット４の制御部６のＣＰＵ６ａから出力される制御信号にしたがって、ＤＶＤドライブ２９及びＴＶチューナ３０の動作の制御を行い、後席用ディスプレイ３８等と各種信号の送受信を行う。そして、後席用制御ユニット５には、後席側制御部２５が設けられ、後席側制御部２５には、中央演算処理装置としてのＣＰＵ２５ａと、ＣＰＵ２５ａに接続され、車載用音響システム１が動作するための各種プログラムが記憶されているＲＯＭ２５ｂと、同じくＣＰＵ２５ａに接続され、各種データの書き込み及び呼び出しをすることができるＲＡＭ２５ｃとから構成されている。
【００１７】
そして、後席側制御部２５内のＣＰＵ２５ａには、各種データの伝送路として供されるバス２７が接続され、バス２７には、入力ソース（ＣＤドライブ８，ＭＤドライブ９，ラジオチューナ１０，ＤＶＤドライブ２９及びＴＶチューナ）に対応して出力される映像データを受信し、受信した映像データを映像信号に変換して、後述する後席用ディスプレイ３８の表示部３９に向けて出力する映像出力部３３と、入力ソースから出力される音楽データを受信し、受信した音楽データを音楽信号に変換して、後述するヘッドホン４６，ヘッドホンジャックＬ４３及びヘッドホンジャックＲ４４に出力する音声出力部３５と、後述するリモコン受信部４０に入力されるリモコン４５の入力信号を検知する入力検知部３４とが接続されている。
【００１８】
さらに、図１に示すように、バス２７には、通信制御部２８が接続されており、通信制御部２８には、前席用操作ユニット４の通信制御部１９と接続されている。したがって、通信制御部２８は、前席用操作ユニット４の通信制御部１９から送信される所定の通信フォーマットに変換された制御信号を受信したり、後席側からのリモコン４５により入力された入力信号を、前席用操作ユニット４の通信制御部１９に送信する役割を果たしている。
【００１９】
そして、バス２７には、ＤＶＤを再生可能なＤＶＤドライブ２９と、テレビ放送を受信、選局可能なＴＶチューナ３０とが、後席用制御ユニット５の外部より接続されている。そして、ＴＶチューナ３０には、図示外のビデオデッキからの音楽信号及び映像信号を入力可能なＶＴＲ端子３１が接続されている。尚、後席用制御ユニット５は、前席用操作ユニット４のように、入力ソースとは一体化して形成されておらず、ＤＶＤドライブ２９及びＴＶチューナ３０は、後席用制御ユニット５とは別の装置となっている。
【００２０】
さらに、図１に示すように、後席用制御ユニット５には、映像を表示する後席用ディスプレイ３８が接続されている。本実施の形態の車載用音響システム１の後席用ディスプレイ３８は、車室内の後席側の天井部に設けられており、後席側の搭乗者全員が、各種入力ソースに対応した映像を楽しむことができる。尚、後席用ディスプレイ３８の設置場所又は設置数については、これに限らず自由に変更可能である。この後席用ディスプレイ３８には、映像を表示する液晶パネルからなる表示部３９と、ワイヤレス式のリモコン４５から送信される入力信号を受信するリモコン受信部４０と、ワイヤレス式のヘッドホン４６に音楽信号を送信するヘッドホン信号送信部４１とが設けられている。さらに、後席用ディスプレイ３８に設けられた表示部３９は、後席用制御ユニット５の映像出力部３３に接続され、リモコン受信部４０は、後席用制御ユニット５の入力検知部３４に接続され、ヘッドホン信号送信部４１は、後席用制御ユニット５の音声出力部３５に接続されている。
【００２１】
そして、後席用制御ユニット５の音声出力部３５には、車室内の後席の各所定位置に設けられたヘッドホンジャックＬ４３、ヘッドホンジャックＲ４４が各々接続されている。ヘッドホンジャックＬ４３は、車室内後席の左側の所定位置に設けられ、外部のヘッドホン（図示外）の端子をヘッドホンジャックＬ４３に挿入することにより、音声出力部３５から出力される音楽信号を受聴する。また、ヘッドホンジャックＲ４４は、車室内後席の右側の所定位置に設けられ、外部のヘッドホン（図示外）の端子をヘッドホンジャックＲ４４に挿入することにより、音声出力部３５から出力される音楽信号を受聴できる。尚、本実施の形態の車載用音響システム１では、ヘッドホンジャックは後席側に２個設けられているが、この数に限られず、多くしても少なくしてもよい。尚、図１の車載用音響システム１のブロック図に示すリモコン４５が、「第２の操作手段」に相当し、後席用ディスプレイ３８の表示部３９が、「後席側映像出力手段」に相当する。
【００２２】
また、後席用制御ユニット５のバス２７には、後席用音響システム３とは別に設けられたカーナビゲーション制御ユニット５１が接続されており、カーナビゲーションの設定画面及び地図画面等が、前席用ディスプレイ１７の表示部１８及び後席用ディスプレイ３８の表示部３９に各々表示されるようになっている。そして、前席用ディスプレイ１７及び後席側のリモコン４５の何れからでもカーナビゲーション制御ユニット５１の設定を行うことが可能となっている。尚、運転中は、事故防止のため、運転中でのカーナビゲーション制御ユニット５１の操作はできないようになっている。
【００２３】
次に、前席用操作ユニット４の表示部１８に表示される設定画面について、図２を参照して説明する。図２は、設定画面が表示された表示部１８の正面図である。上述したように、表示部１８は、タッチパネル式の液晶ディスプレイであり、表示部１８に表示される各種設定ボタンに指先が触れることで、その押圧を入力検知部１４が検知して、入力信号に変換し、その入力信号が制御部６（図１参照）に送信されるようになっている。例えば、前席用ディスプレイ１７の操作部２２に設けられた設定画面切換ボタン（図示外）を押すと、図２に示すように、各種機能を設定するための一設定画面が略長方形状の表示部１８に表示される。表示部１８に表示された設定画面の右上には、後述する前後席連動モードに設定する前後席連動設定ボタン６０が表示され、前後席連動設定ボタン６０の右隣には、設定を完了する設定完了ボタン６１が表示されている。前後席連動設定ボタン６０に指先を触れることにより、前後席連動モードが選択され（「オン状態」）、さらにもう一度指先で触れることにより、前後席連動モードが解除された前後席独立モード状態（「オフ状態」）となる。尚、前後席連動モードが選択されると、前後席連動設定ボタン６０には「前後席連動」と表示され、前後席連動モードが解除されると、前後席連動設定ボタン６０には「前後席独立」と表示される。
【００２４】
さらに、図２に示すように、表示部１８に表示された設定画面の上部から、オーディオ・エアコン・情報の操作画面継続表示アイコン６２と、背景色アイコン６３と、車両警告表示アイコン６４とが表示されている。そして、操作画面継続表示アイコン６２の右側には、オーディオ，エアコン及び各種情報の操作画面を継続して表示部１８に表示させるか否かを選択する選択ボタン６２ａ，６２ｂが表示され、背景色アイコン６３の右側には、表示部１８の背景色を４色（グリーン、ブルー、グレー、ベージュ）から１色を選択可能なグリーン選択ボタン６３ａと，ブルー選択ボタン６３ｂと，グレー選択ボタン６３ｃと，ベージュ選択ボタン６３ｄとが表示されている。さらに、車両警告表示アイコン６４の右側には、燃料切れ及びオイル切れ等の車両異常が発生した場合に、表示部１８に警告表示をさせるか否かを選択する選択ボタン６４ａ，６４ｂが表示されている。
【００２５】
そして、図２に示すように、表示部１８に表示されている設定画面の下部の左側には、インターネットに接続し、ニュース、株価、天気等の最新情報を表示したり、メールの送受信を行うことができるインターネット通信設定ボタン６５が表示され、インターネット通信設定ボタン６５の右隣には、オイル、ブレーキパッド等の交換日を予め設定しておき、その設定日になると、表示部１８にそれらの交換を運転者に促す図柄又は文字を表示するための設定を行う保守点検設定ボタン６６が表示されている。
【００２６】
次に、後席側のリモコン４５について、図３を参照して説明する。図３は、リモコン４５の外観構成を示した平面図である。図３に示すように、リモコン４５は、後席側の搭乗者が、各種入力ソースに対して操作指示をするためのものである。略直方体状の筐体であるリモコン４５の上面部には、略長方形状の操作設定部１０５が設けられ、操作設定部１０５には、各種入力ソースを選択し、チャンネルや音量、音質等を調整する操作ボタンや、カーナビゲーション制御ユニット５１の設定を行う設定ボタン等が設けられている。
【００２７】
そして、図３に示すように、操作設定部１０５の上部には、カーナビゲーション制御ユニット５１（図１参照）に対して操作及び設定を行う各種ボタンが設けられており、詳細には、現在地を表示又は設定する現在地設定ボタン７０と、設定メニューを表示するメニューボタン７１と、目的地を設定する目的地設定ボタン７２と、後席でカーナビゲーションの設定を開始する際の電源ボタン７３と、カーソルを表示させるカーソルボタン７４とで構成されている。また、カーソルボタン７４の下方には、カーナビゲーションの地図上に表示されるポインタの位置を上下左右に移動させたり、目的地（行き先）にポインタ位置を合わせて、目的地を決定したりする等の操作が容易にできるジョグポインタ１０１が設けられている。
【００２８】
さらに、操作設定部１０５の上部の左端近傍には、ヘッドホン４６から出力される音量を下げる音量ダウンボタン７５と、音量を上げる音量アップボタン７６とが並列して設けられ、その下方には、ＣＤやＭＤ等のディスクを選択するシークダウンボタン７７と，シークアップボタン７８とが並列して設けられ、その下方には、ラジオチューナ１０のＡＭ放送又はＦＭ放送の受信周波数を調整したり、ＣＤ、ＭＤなどの再生トラックを選択したりするシークダウンボタン７９と、シークアップボタン８０とが並列して設けられている。
【００２９】
そして、図３に示すように、操作設定部１０５の略中央の左端近傍には、後席側の後席用ディスプレイ３８，ヘッドホン４６からの出力を停止する後席側電源オフボタン８１が設けられ、後席側電源オフボタン８１の右隣には、複数の入力ソースからＣＤドライブ８又はＭＤドライブ９を選択するオーディオボタン８２が設けられている。尚、オーディオボタン８２は１回押されると、ＣＤドライブ８が選択され、もう１回押されるとＭＤドライブ９が選択されるようになっている。さらに、オーディオボタン８２の右隣には、インターネットに接続し、ニュース、株価、天気等の最新情報を表示できる情報ボタン８３が設けられ、情報ボタン８３の右隣には、後席用ディスプレイ３８の表示部３９の画質を調整する設定画面に切換可能な画質ボタン８４が設けられている。そして、後席側電源オフボタン８１の真下には、複数の入力ソースからＤＶＤドライブ２９を選択するＤＶＤボタン８５が設けられ、ＤＶＤボタン８５の右隣には、表示部３９にビデオ入力画面を表示するビデオボタン８６が設けられ、ビデオボタン８６の右隣には、複数の入力ソースからＴＶチューナ３０を選択するＴＶボタン８７が設けられている。さらに、ＴＶボタン８７の右隣には、主音声又は副音声の切換えが可能な主音声・副音声切換ボタン８８が設けられている。
【００３０】
そして、図３に示すように、ＤＶＤボタン８５の下方には、ＤＶＤドライブの操作に関する周知の各種設定ボタンが設けられており、設定メニューボタン８９と、トップメニューボタン９０と、リターンボタン９１と、初期設定ボタン９２と、字幕設定ボタン９３と、音声設定画面を表示させる音声設定ボタン９４と、表示アングルの切換可能なアングル切換ボタン９５と、サーチボタン９６とが設けられている。さらに、操作設定部１０５の最下端部近傍には、巻き戻しボタン９７と、一時停止ボタン９８と、再生ボタン９９と、早送りボタン１００とが並列に設けられている。
【００３１】
次に、上記構成を備えた車載用音響システム１の動作について、図１乃至図３を参照して説明する。まず、前後席連動モードが「オフ」状態の場合について説明する。前後席連動モードが「オフ」状態の場合は、前席用音響システム２と、後席用音響システム３とは各々独立した状態となり、前席側と後席側とで、別々の音楽（映画、ドラマ等の音声を含む）又は映像（映画）等を鑑賞する場合にこのモードが「オフ」される。例えば、図２に示すように、前席用操作ユニット４の前席用ディスプレイ１７の表示部１８の「前後席連動」と表示されている前後席連動設定ボタン６０に、前席側搭乗者が指先でタッチすると、図１に示すように、その押圧を入力検知部１４が検知して入力信号に変換する。そして、その入力信号は、入力検知部１４によって、制御部６のＣＰＵ６ａに送信される。次いで、ＣＰＵ６ａは、その送信された入力信号に基づき、それまで設定されていた前後席連動モードを解除し、前後席連動モードが解除されたことを前席側搭乗者に報知するための指令を表示部１８に送信する。そして、表示部１８では、前後席連動設定ボタン６０を、「前後席独立」と表示させ、前後席連動モードが「オフ」状態となったことを前席側の搭乗者に報知する。
【００３２】
次に、前席側の搭乗者が、前席用操作ユニット４の前席用ディスプレイ１７の操作部２２に設けられたＣＤ選択ボタン（図示外）を押して、ＣＤドライブ８を選択した場合、図１に示すように、ＣＤドライブ８が選択されたことを、入力検知部１４が検知し、それを入力信号に変換して、バス７を介して、制御部６のＣＰＵ６ａに送信する。そして、ＣＰＵ６ａは、その入力信号に基づいて、ＣＤドライブ８に向けて制御信号を送信し、ＣＤドライブ８はその制御信号に基づいて動作を開始する。さらに、ＣＰＵ６ａは、ＣＤドライブ８に挿入されているＣＤ（図示外）に関する情報を読み出し、その情報（例えば、収納トラック数、経過時間、再生トラック番号等）を示す画面を表示させる映像信号を、映像出力部１３に出力させ、表示部１８に表示させる。
【００３３】
そして、ＣＤが挿入されたＣＤドライブ８から出力される音楽信号は、バス７を介して音声出力部１５に送信され、音声出力部１５に送信された音楽信号は、オーディオアンプ２０に送信される。オーディオアンプ２０では、送信された音楽信号を所定レベルまで増幅し、車室内の前席及び後席に各々設けられたスピーカ２１より音声が出力される。
【００３４】
次に、前後席連動モードが「オフ」状態中に、後席側のリモコン４５によって、入力ソースが選択された場合の車載用音響システム１の動作について説明する。例えば、後席側搭乗者によって、リモコン４５（図３参照）のＤＶＤボタン８５が押されると、図１に示すように、リモコン４５から送信された入力信号は、後席用ディスプレイ３８に設けられたリモコン受信部４０によって受信され、リモコン受信部４０に受信された入力信号は、後席用制御ユニット５の入力検知部３４に送信される。そして、入力検知部３４は、送信された入力信号をバス２７を介して通信制御部２８に送信する。次いで、通信制御部２８では、送信された入力信号が所定の通信フォーマットに変換され、前席用操作ユニット４の通信制御部１９に送信される。通信制御部１９に送信された入力信号は、バス７を介して、制御部６のＣＰＵ６ａに送信され、前後席連動モード中か否かが判断される。
【００３５】
そして、ＣＰＵ６ａは、前後席連動モードが「オフ」状態であると判断すると、ＣＰＵ６ａは、バス７、通信制御部１９，通信制御部２８，バス２７を介して、後席側制御部２５のＣＰＵ２５ａに向けて制御信号を送信する。制御信号を受信したＣＰＵ２５ａは、その制御信号に基づいて、入力ソースであるＤＶＤドライブ２９に向けて制御信号を送信すると、ＤＶＤドライブ８はその制御信号に基づいて動作を開始する。次いで、ＤＶＤが挿入されたＤＶＤドライブ２９から出力される音楽信号は、バス２７を介して音声出力部３５に送信され、音声出力部３５に送信された音楽信号は、ヘッドホン信号送信部４１に送信され、ワイヤレス式のヘッドホン４６に音楽信号が送信されると、ヘッドホン４６にてＤＶＤに対応した音声を受聴することができる。また、ＤＶＤドライブ２９から出力される映像信号は、バス２７を介して映像出力部３３に送信され、映像出力部３３に送信された映像信号は、後席用ディスプレイ３８の表示部３９に出力され、表示部３９にＤＶＤの映像が表示される。
【００３６】
次に、前後席連動モードが「オン」状態の場合の車載用音響システム１の動作について、図１乃至図３を参照して説明する。前後席連動モードが「オン」状態は、前席用音響システム２と、後席用音響システム３とは連動して動作する状態となり、前席側と後席側とで、同一の音楽（映画、ドラマ等の音声を含む）又は映像（映画）等を鑑賞する場合に選択される動作モードである。例えば、図１に示すように、前席用ディスプレイ１７の表示部１８に表示させた設定画面の前後席連動設定ボタン６０（図２参照）に、前席側の搭乗者が指先でタッチすると、その押圧を入力検知部１４が検知して入力信号に変換する。そして、その入力信号は、バス７を介して、入力検知部１４から制御部６のＣＰＵ６ａに送信される。
【００３７】
次いで、図１に示すように、ＣＰＵ６ａは、その送信された入力信号に基づき、それまで解除されていた前後席連動モードを「オン」状態に設定して、前後席連動モードが設定されたことを前席側搭乗者に報知するための制御信号を表示部１８に送信する。そして、表示部１８では、前後席連動設定ボタン６０に「前後席連動」と表示させて、前後席連動モードが「オン」状態となったことを前席側の搭乗者に報知する。尚、この前後席連動設定ボタン６０は、前席用ディスプレイ１７の表示部１８に表示される設定画面にしか設けられていないので、前席側の搭乗者のみ、前後席連動モードの設定が可能である。
【００３８】
そして、前席側の搭乗者が、前席用操作ユニット４の前席用ディスプレイ１７の操作部２２に設けられたオーディオ選択ボタン（図示外）を押して、ＣＤドライブ８を選択した場合、操作部２２でＣＤドライブ８が選択されたこと入力検知部１４によって検知され、その入力信号はバス７を介して、制御部６のＣＰＵ６ａに送信される。そして、ＣＰＵ６ａは、その入力信号に基づいて、ＣＤドライブ８に向けて制御信号を送信し、ＣＤドライブ８はその制御信号に基づいて動作を開始する。さらに、ＣＰＵ６ａは、ＣＤドライブ９に挿入されているＣＤ（図示外）に関する情報を読み出し、その情報（例えば、収納トラック数、経過時間、再生トラック番号等）を示す画面を表示させる映像信号を、映像出力部１３に出力させ、表示部１８に表示させる。また、その映像信号は、通信制御部１９にも送信され、通信制御部１９に送信された映像信号は、後席用制御ユニット５の通信制御部２８、バス２７を介してＣＰＵ２５ａに送信され、表示部３９にもＣＤ（図示外）に関する情報を表示させる。
【００３９】
そして、図１に示すように、ＣＤが挿入されたＣＤドライブ８から出力される音楽信号は、バス７を介して音声出力部１５と、通信制御部１９に送信される。音声出力部１５に送信された音楽信号は、オーディオアンプ２０に送信され、車室内の前席及び後席に各々設けられたスピーカ２１より音声（例えば、音楽等）が出力される。また、通信制御部１９に送信された音楽信号は、通信制御部２８，バス２７を介して後席側制御部２５のＣＰＵ２５ａに送信される。そして、ＣＰＵ２５ａによって、バス２７を介して音声出力部３５に音楽信号が送信され、さらにヘッドホン信号送信部４１を介して、ワイヤレス式のヘッドホン４６に音楽信号が送信されることにより、スピーカ２１から出力される音楽（音声）と同一の音楽（音声）がヘッドホン４６から出力される。
【００４０】
また、前後席連動モードが「オン」状態中に、後席側の操作リモコンから操作指示がされた場合も、車載用音響システム１は、上記の表示部１８から操作された場合と同様の動作を行う。例えば、後席側の搭乗者によって、リモコン４５（図３参照）のＤＶＤボタン８５が押されると、リモコン４５から送信された入力信号は、後席用ディスプレイ３８に設けられたリモコン受信部４０によって受信され、リモコン受信部４０に受信された入力信号は、後席用制御ユニット５の入力検知部３４に送信される。そして、入力検知部３４に送信された入力信号は、バス２７を介して通信制御部２８に送信される。次いで、通信制御部２８では、送信された入力信号を所定の通信フォーマットに変換し、前席用操作ユニット４の通信制御部１９に送信する。通信制御部１９に送信された入力信号は、バス７を介して、制御部６のＣＰＵ６ａに送信され、前後席連動モード中か否かが判断される。
【００４１】
そして、ＣＰＵ６ａは、前後席連動モードが「オン」状態であると判断すると、ＣＰＵ６ａは、バス７、通信制御部１９，通信制御部２８，バス２７を介して、後席側制御部２５のＣＰＵ２５ａに向けて制御信号を送信する。制御信号を受信したＣＰＵ２５ａは、その制御信号に基づいて、入力ソースであるＤＶＤドライブ２９に向けて、バス２７を介して制御信号を送信すると、ＤＶＤドライブ２９はその制御信号に基づいて動作を開始する。
【００４２】
次いで、図１に示すように、ＤＶＤが挿入されたＤＶＤドライブ２９から出力される音楽信号は、バス２７を介して音声出力部３５と、通信制御部２８に送信される。そして、音声出力部３５に送信された音楽信号は、ヘッドホン信号送信部４１に送信され、その音楽信号がヘッドホン４６に送信される。また、通信制御部２８に送信された音楽信号は、通信制御部１９，バス７を介して、音声出力部１５に送信される。よって、ＤＶＤドライブ２９から出力された音楽信号は、ヘッドホン４６だけでなく、スピーカ２１からも出力される。また、ＤＶＤドライブ２９から出力される映像信号も同様に、バス２７を介して映像出力部３３と、通信制御部２８に送信される。映像出力部３３に送信された映像信号は、表示部３９に出力する。通信制御部２８に送信された映像信号は、通信制御部１９，バス７を介して、映像出力部１３に送信される。よって、ＤＶＤドライブ８から出力された映像信号は、後席用ディスプレイ３８の表示部３９だけでなく、前席用ディスプレイ１７の表示部１８からも出力される。尚、図１の車載用音響システム１のブロック図に示す制御部６のＣＰＵ６ａと、図２の表示部１８の正面図に示す前後席連動設定ボタン６０とが、「前後席連動モード指示手段」に相当する。また、図１の車載用音響システム１のブロック図に示す制御部６のＣＰＵ６ａは、前後席連動モードの切換えを制御する切換制御手段としての機能も備えている。
【００４３】
次に、前後席連動モード中の、リヤ席側のリモコン４５から操作可能な入力ソースについて、図１、図４及び図５を参照して説明する。図４は、前後席連動モードが「オフ」状態の場合において、リモコン４５が独立して操作可能な入力ソースを示す表であり、図５は、前後席連動モードが「オン」状態の場合において、リモコン４５から操作可能な入力ソースを示す表である。尚、図中の「○」は「操作可能」、「×」は「操作不可能」、「◎」は「同一チャンネル（同一ソフト）なら操作可能」を示す。
【００４４】
まず、前後席連動モードが「オフ」状態中において、リモコン４５で独立して操作可能な入力ソースについて、図４を参照して説明する。図１及び図４に示すように、前席用操作ユニット４にて、例えば、ラジオチューナ１０が使用されている場合、ラジオチューナ１０以外のＣＤドライブ８，ＭＤドライブ９，ＴＶチューナ３０及びＤＶＤドライブ２９は、後席側のリモコン４５で独立して操作できる。しかし、リモコン４５でラジオチューナ１０を選択しても、前席用操作ユニット４が、ＡＭ放送（又はＦＭ放送）を受信している場合は、リモコン４５からはＦＭ放送を選択して操作することはできない。よって、後席側のリモコン４５がラジオチューナ１０で選択できるのは、前席用操作ユニット４で使用されているＡＭ放送と同一のチャンネル（前席側で受信している）のみである。また、この場合、ラジオチューナ１０は前席用操作ユニット４の制御下にあるので、ヘッドホン４６から受聴できるＡＭ放送の受信局を変更したりする等の操作はできない。
【００４５】
また、図１及び図４に示すように、前席用操作ユニット４にて、ＣＤドライブ８が使用されている場合、ＣＤドライブ８以外のラジオチューナ１０，ＭＤドライブ９，ＴＶチューナ３０及びＤＶＤドライブ２９は、後席側のリモコン４５で独立して操作できる。また、リモコン４５でＣＤドライブ８を選択しても、ヘッドホン４６から受聴できるのは、前席用操作ユニット４で使用されているＣＤドライブ８が、現在再生している曲の音声のみである。したがって、後席側のリモコン４５からは、ＣＤドライブ８を途中で停止したり、再生トラックを先に進めたりする等の操作はできない。
【００４６】
そして、ＭＤドライブ９、ＴＶチューナ３０、ＤＶＤドライブ２９の何れかが前席用操作ユニット４で使用されている場合も同様に、前席用操作ユニット４が使用する入力ソースと異なる入力ソースであれば、後席側のリモコン４５からの選択及び操作が可能である。また、リモコン４５で、前席用操作ユニット４と同一の入力ソースを選択した場合は、前席用操作ユニット４が使用する同一のチャンネル又は同一のソフト（例えば、ＭＤドライブ９によって再生されている曲、ＤＶＤによって再生されている音声及び映像等）のみ、ヘッドホン４６及び後席用ディスプレイ３８の表示部３９には出力される。したがって、後席側のリモコン４５からは、ＭＤドライブ９又はＤＶＤドライブ２９等を途中で停止したり、再生トラックを先に進めたりする等の操作はできない。
【００４７】
次に、前後席連動モードが「オン」状態中において、後席側のリモコン４５から操作可能な入力ソースについて、図１及び図５を参照して説明する。図５に示すように、前後席連動モードが「オン」状態の場合は、前席用操作ユニット４にて使用される入力ソースと同一の入力ソースを、後席側のリモコン４５で選択して操作することができる。よって、前席用操作ユニット４又はリモコン４５によって選択された入力ソースの音声（音楽）は、スピーカ２１とヘッドホン４６とから出力され、映像は、前席用ディスプレイ１７の表示部１８と、後席用ディスプレイ３８の表示部３９に出力される。そして、前席用操作ユニット４及びリモコン４５の何れからでも、入力ソースの切換（例えば、ラジオチューナ１０からＣＤドライブ８に切換）を自由に行うことができる。例えば、前席用操作ユニット４でＤＶＤドライブ２９が選択された場合は、ＤＶＤドライブ２９に挿入されたＤＶＤに記憶された音声は、スピーカ２１と、ヘッドホン４６とから出力され、ＤＶＤの映像は、前席用ディスプレイ１７の表示部１８と、後席用ディスプレイ３８の表示部３９とから出力される。そして、前席用操作ユニット４で操作されているＤＶＤドライブ２９は、後席側のリモコン４５からも操作ができ、例えばＤＶＤドライブ２９の再生トラックを先に進めたり、途中で停止したりする等の操作を行うことができる。尚、この前後席連動モードは、前席用操作ユニット４でのみ設定可能であり、後席側のリモコン４５では設定できない。したがって、後席側に子供が乗るような場合に前後席連動モードを設定すると、子供がリモコン４５を誤って押してしまった場合に、今までスピーカ２１に出力されていた音声、及び前席用ディスプレイ１７に表示されていた映像が突然切り替わってしまい、前席側の搭乗者を驚かせてしまうため、予め前席側で前後席連動モードを「オフ」状態に設定すれば、このようなリモコン４５の誤操作を未然に防ぐことができる。
【００４８】
以上、説明したように、本発明の一実施の形態の車載用音響システム１は、前席用音響システム２と後席用音響システム３とが連動して、同一の入力ソースから出力される音楽信号及び映像信号を制御することができる前後席連動モードに設定可能な前後席連動設定ボタン６０が、前席用操作ユニット４の前席用ディスプレイ１７に設けられた表示部１８に表示される設定画面にのみ設けられているので、後席側のリモコン４５からは前後席連動モードに設定できない。したがって、後席側に子供らが搭乗した場合には、前席側で前後席連動モードを「オフ」状態に設定し、後席側に搭乗する子供らによってリモコン４５の操作ボタンが誤って押されても、前席側の前席用ディスプレイ１７の表示部１８に出力されていた映像が突然切り替わることがなく、また、スピーカ２１から出力されていた音声（音楽）も突然切り替わることがないので、リモコン４５の誤操作による車載用音響システム１の誤動作を予め防止することができる。
【００４９】
尚、本発明は、上記の実施の形態に限定されることなく、各種の変形が可能である。例えば、車載用音響システム１の前席用操作ユニット４に設けられた前席用ディスプレイ１７の表示部１８上に表示される前後席連動設定ボタン６０に変えて、操作部２２上に前後席連動設定ボタンを設けてもよく、前席側に操作リモコンを設け、その操作リモコン上に前後席連動設定ボタンを設けてもよい。また、後席側のリモコン４５の各種操作ボタンに変えて、後席用ディスプレイ３８の表示部３９に各種操作ボタンを表示させるようにしてもよい。
【産業上の利用可能性】
【００５０】
本発明の車載用音響システムは、ワンボックスカー、セダン、クーペ、ステーションワゴン、バン、バス、トラック等の前席及び後席が各々設けられた各種車両に適用できる。
【図面の簡単な説明】
【００５１】
【図１】本実施の形態の車載用音響システム１の構成を示したブロック図である。
【図２】設定画面が表示された表示部１８の正面図である。
【図３】リモコン４５の外観構成を示した平面図である。
【図４】前後席連動モードが「オフ」状態の場合において、リモコン４５が独立して操作可能な入力ソースを示す表である。
【図５】前後席連動モードが「オン」状態の場合において、リモコン４５から操作可能な入力ソースを示す表である。
【符号の説明】
【００５２】
１  車載用音響システム
４  前席用操作ユニット
５  後席用制御ユニット
６  制御部
６ａ  ＣＰＵ
１７  前席用ディスプレイ
１８  表示部
２１  スピーカ
２２  操作部
３８  後席用ディスプレイ
３９  表示部
４５  リモコン
４６  ヘッドホン
６０  前後席連動設定ボタン
【図１】
2005096601.tif 000003
【図２】
2005096601.tif 000004
【図３】
2005096601.tif 000005
【図４】
2005096601.tif 000006
【図５】
2005096601.tif 000007